(57)【特許請求の範囲】
【請求項１】
上下方向に延びる中心軸を中心とするシャフトを備えるモータであって、
前記シャフトに固定される電機子と、
下側に開口する下側開口部を有し前記電機子を収容する筒状のハウジングと、
前記下側開口部に位置し前記電機子に電流を供給するブラシカードアセンブリと、
前記ブラシカードアセンブリの下側に位置し前記ハウジングと固定される筒状のブラケットと、
前記ハウジングと前記ブラケットとの間に位置する弾性体製のシール部材と、
を備え、
前記ハウジングおよび前記ブラケットは、金属製であり、
前記ブラシカードアセンブリは、前記シャフトを周方向に囲む筒状のブラシカード筒部と、前記ブラシカード筒部から径方向外側に延びるブラシカードフランジ部と、を有し、
前記シール部材は、前記ブラシカードフランジ部の上面と前記ハウジングとの間に位置する上側シール部と、前記ブラシカードフランジ部の下面と前記ブラケットとの間に位置する下側シール部と、を有し、
前記ハウジングの下端面であるハウジング下端面と前記ブラケットの上端面であるブラケット上端面とは、軸方向に対向し、
前記ハウジング下端面および前記ブラケット上端面は、互いに接触する接触部と、互いに軸方向に離れる離間部と、を有し、
前記モータには、前記ハウジング下端面の前記離間部と前記ブラケット上端面の前記離間部との軸方向の間に位置し径方向に開口する径方向開口部が設けられ、
前記シール部材は、前記径方向開口部に位置する介在部を有し、
前記介在部は、前記ブラシカードフランジ部の径方向外側の少なくとも一部を覆う側壁部を含み、
前記上側シール部と前記下側シール部とは、前記側壁部を介して接触するモータ。
【請求項２】
前記介在部の上面は、前記ハウジング下端面と接触し、
前記介在部の下面は、前記ブラケット上端面と接触する、請求項１に記載のモータ。
【請求項３】
前記上側シール部および前記下側シール部は、前記シャフトを周方向に囲む環状である、請求項１または２に記載のモータ。
【請求項４】
前記側壁部は、前記上側シール部と前記下側シール部とのうちの一方に設けられ、
前記上側シール部と前記下側シール部とのうちの他方における径方向外側の端部は、前記側壁部の径方向内側の面と接触する、請求項１に記載のモータ。
【請求項５】
前記シール部材は、単一の部材であり、
前記上側シール部と前記下側シール部とは、前記側壁部を介して連結される、請求項１または４に記載のモータ。
【請求項６】
前記シール部材は、単一の部材であり、前記上側シール部と前記下側シール部とを連結するヒンジ部を有する、請求項１から４のいずれか一項に記載のモータ。
【請求項７】
前記ハウジングと前記ブラケットとのうちの少なくとも一方は、軸方向に延び先端に前記接触部を有する固定壁部を有し、
前記介在部は、前記固定壁部の周方向の側面である固定壁部側面と接触する、請求項１から６のいずれか一項に記載のモータ。
【請求項８】
前記介在部における前記固定壁部側面と接触する部分は、軸方向に対して傾斜する、請求項７に記載のモータ。
【請求項９】
前記ハウジングと前記ブラケットとのうちの一方は、軸方向に延び先端に前記接触部を有する固定壁部を有し、
前記上側シール部と前記下側シール部とのうちの、前記ブラシカードフランジ部に対して前記ハウジングと前記ブラケットとのうちの他方側に位置するシール部材は、前記固定壁部における径方向内側の面である固定壁部内側面と接触する、請求項１から８のいずれか一項に記載のモータ。
【請求項１０】
前記固定壁部内側面は、下側から上側に向かうに従って前記中心軸から離れる傾斜面を有し、
前記上側シール部は、前記傾斜面と接触する、請求項９に記載のモータ。
【請求項１１】
前記ハウジングと前記ブラケットとのうちの少なくとも一方は、軸方向に延び先端に前記接触部を有する固定壁部を有し、
前記ブラシカードアセンブリは、前記ブラシカードフランジ部よりも径方向外側に位置するコネクタ部を有し、
前記コネクタ部の少なくとも一部は、前記径方向開口部に位置し、
前記介在部は、前記上側シール部と前記下側シール部とのうちの少なくとも一方に設けられ軸方向に突出する介在突出部を含み、
前記介在突出部は、前記コネクタ部と前記固定壁部との周方向の間に位置する、請求項１から１０のいずれか一項に記載のモータ。
【請求項１２】
前記ブラシカードアセンブリは、前記ブラシカードフランジ部から径方向外側に突出するブラシカード突出部を有し、
前記上側シール部と前記下側シール部とのうちの少なくとも一方は、前記ブラシカード突出部に引っ掛けられる、請求項１から１１のいずれか一項に記載のモータ。
【請求項１３】
前記径方向開口部の周方向の寸法の合計は、前記接触部の周方向の寸法の合計よりも大きい、請求項１から１２のいずれか一項に記載のモータ。
【発明の詳細な説明】
【技術分野】
【０００１】
本発明は、モータに関する。
【背景技術】
【０００２】
例えば、特許文献１には、ヨークの外フランジ部とブラケットの周縁部との間をシールするシール部を備えた電動モータが記載されている。このような電動モータは、車両等の屋外で用いることができるように、シール部によってモータ内部へ水の浸入を防止できるようになっている。
【先行技術文献】
【特許文献】
【０００３】
【特許文献１】特開２０１４−０３９３８１号公報
【発明の概要】
【発明が解決しようとする課題】
【０００４】
上記のような電動モータにおいては、ヨークの外フランジ部とブラケットの周縁部とが接触し、シール部はヨークとブラケットとの接触する部分における径方向外縁よりも径方向内側に位置する。
【０００５】
このような構成では、ヨークとブラケットとが互いに接触する接触部同士の間に径方向外縁から水が浸入し、ヨークおよびブラケットの接触部が腐食する虞があった。これにより、電動モータの防水性が低下する問題があった。
【０００６】
また、ヨークおよびブラケットの接触部の腐食は、径方向内側に進行し、ヨークおよびブラケットにおけるシール部の位置する部分にまでおよぶ場合がある。この場合、シール部によるヨークとブラケットとの間のシールが不十分となりやすく、電動モータの防水性がより低下する問題があった。
【０００７】
本発明の一つの態様は、上記問題点に鑑みて、防水性を向上できる構造を有するモータを提供することを目的の一つとする。
【課題を解決するための手段】
【０００８】
本発明のモータの一つの態様は、上下方向に延びる中心軸を中心とするシャフトを備えるモータであって、前記シャフトに固定される電機子と、下側に開口する下側開口部を有し前記電機子を収容する筒状のハウジングと、前記下側開口部に位置し前記電機子に電流を供給するブラシカードアセンブリと、前記ブラシカードアセンブリの下側に位置し前記ハウジングと固定される筒状のブラケットと、前記ハウジングと前記ブラケットとの間に位置する弾性体製のシール部材と、を備え、前記ハウジングおよび前記ブラケットは、金属製であり、前記ブラシカードアセンブリは、前記シャフトを周方向に囲む筒状のブラシカード筒部と、前記ブラシカード筒部から径方向外側に延びるブラシカードフランジ部と、を有し、前記シール部材は、前記ブラシカードフランジ部の上面と前記ハウジングとの間に位置する上側シール部と、前記ブラシカードフランジ部の下面と前記ブラケットとの間に位置する下側シール部と、を有し、前記ハウジングの下端面であるハウジング下端面と前記ブラケットの上端面であるブラケット上端面とは、軸方向に対向し、前記ハウジング下端面および前記ブラケット上端面は、互いに接触する接触部と、互いに軸方向に離れる離間部と、を有し、前記モータには、前記ハウジング下端面の前記離間部と前記ブラケット上端面の前記離間部との軸方向の間に位置し径方向に開口する径方向開口部が設けられ、前記シール部材は、前記径方向開口部に位置する介在部を有し、前記介在部は、前記ブラシカードフランジ部の径方向外側の少なくとも一部を覆う側壁部を含み、前記上側シール部と前記下側シール部とは、前記側壁部を介して接触する。
【発明の効果】
【０００９】
本発明の一つの態様によれば、防水性を向上できる構造を有するモータが提供される。
【図面の簡単な説明】
【００１０】
【図１】図１は、第１実施形態のモータを示す斜視図である。
【図２】図２は、第１実施形態のモータの部分を示す分解斜視図である。
【図３】図３は、第１実施形態のモータを示す図であって、図１におけるIII−III断面図である。
【図４】図４は、第１実施形態のモータの部分を示す平面図である。
【図５】図５は、第１実施形態のモータの部分を示す断面図である。
【図６】図６は、第１実施形態のブラシカードアセンブリおよびシール部材を示す側面図である。
【図７】図７は、第１実施形態のモータの部分を示す平面図である。
【図８】図８は、第１実施形態の他の一例であるモータの部分を示す断面図である。
【図９】図９は、第１実施形態の他の一例であるモータの部分を示す側面図である。
【図１０】図１０は、第２実施形態のブラシカードアセンブリおよびシール部材を示す斜視図である。
【発明を実施するための形態】
【００１１】
以下、図面を参照しながら、本発明の実施形態に係るモータについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１２】
また、図面においては、適宜３次元直交座標系としてＸＹＺ座標系を示す。ＸＹＺ座標系において、Ｚ軸方向は、図１に示す中心軸Ｊの軸方向と平行な方向とする。Ｘ軸方向は、Ｚ軸方向と直交する方向であってコネクタ部５３の突出する方向とする。Ｙ軸方向は、Ｘ軸方向とＺ軸方向との両方と直交する方向とする。
【００１３】
また、以下の説明においては、中心軸Ｊの延びる方向（Ｚ軸方向）を上下方向とする。Ｚ軸方向の正の側（＋Ｚ側）を「上側」と呼び、Ｚ軸方向の負の側（−Ｚ側）を「下側」と呼ぶ。なお、上下方向、上側および下側とは、単に説明のために用いられる名称であって、実際の位置関係や方向を限定しない。また、特に断りのない限り、中心軸Ｊに平行な方向（Ｚ軸方向）を単に「軸方向」と呼び、中心軸Ｊを中心とする径方向を単に「径方向」と呼び、中心軸Ｊを中心とする周方向（θＺ方向）、すなわち、中心軸Ｊの軸周りを単に「周方向」と呼ぶ。
【００１４】
なお、本明細書において、軸方向に延びる、とは、厳密に軸方向に延びる場合に加えて、軸方向に対して、４５°未満の範囲で傾いた方向に延びる場合も含む。また、本明細書において、径方向に延びる、とは、厳密に径方向、すなわち、軸方向に対して垂直な方向に延びる場合に加えて、径方向に対して、４５°未満の範囲で傾いた方向に延びる場合も含む。
【００１５】
＜第１実施形態＞
図１から図４は、本実施形態のモータ１０を示す図である。図１は、斜視図である。図２は、分解斜視図である。図３は、図１におけるIII−III断面図である。図４は、平面図である。図２および図４においては、ハウジング２０、電機子４０等の図示を省略している。
【００１６】
図１から図３に示すように、モータ１０は、ハウジング２０と、ブラケット３０と、シャフト４１と、電機子４０と、整流子４４と、ブラシカードアセンブリ５０と、シール部材６０と、マグネット７０と、上側ベアリング７１と、下側ベアリング７２と、オイルシール７３と、を備える。
【００１７】
［シャフト］
図３に示すように、シャフト４１は、上下方向（Ｚ軸方向）に延びる中心軸Ｊを中心とする。シャフト４１は、中心軸Ｊ周り（±θＺ方向）に回転可能に支持される。シャフト４１の下端は、後述する出力軸孔３１ｇを介してブラケット３０の外部に露出する。
【００１８】
［電機子および整流子］
電機子４０は、シャフト４１に固定される。電機子４０は、シャフト４１とともに中心軸Ｊ周り（±θＺ方向）に回転可能である。電機子４０は、コア４２と、コイル４３と、を有する。コア４２は、シャフト４１の外周面に固定される。コイル４３は、コア４２に巻き回される。
【００１９】
整流子４４は、電機子４０の下側に位置し、シャフト４１に固定される。整流子４４は、コイル４３と電気的に接続される。整流子４４は、後述するブラシ５４と接触する。コイル４３には、ブラシ５４を通じて整流子４４から電流が供給される。これにより、電機子４０が励磁される。
【００２０】
［上側ベアリングおよび下側ベアリング］
上側ベアリング７１と下側ベアリング７２とは、シャフト４１を回転可能に支持する。上側ベアリング７１は、電機子４０よりも上側に位置する。上側ベアリング７１は、ハウジング２０の後述する上側ベアリング保持部２４に保持される。下側ベアリング７２は、整流子４４よりも下側に位置する。下側ベアリング７２は、ブラケット３０の後述する下側ベアリング保持部３１ｄに保持される。
【００２１】
［マグネット］
マグネット７０は、ハウジング２０の内周面に固定される。マグネット７０は、電機子４０と径方向に対向する。マグネット７０の磁極は、周方向に沿ってＮ極とＳ極とが交互に配置される。マグネット７０は、単一の部材であってもよいし、周方向に沿って複数に分割されてもよい。
【００２２】
［オイルシール］
オイルシール７３は、後述するオイルシール保持部３１ｅに保持される。オイルシール７３は、モータ１０の外部のオイルが下側ベアリング７２を通じてモータ１０の内部へ浸入するのを防止するために用いられる。
【００２３】
［ハウジング］
ハウジング２０は、電機子４０を収容する有蓋の筒状である。ハウジング２０は、金属製であって、例えば鉄製である。ハウジング２０は、鉄製であるため、マグネット７０のヨークとして機能する。
【００２４】
ハウジング２０は、ハウジング筒部２１と、ハウジングフランジ部２２と、を有する。ハウジング筒部２１は、下側に開口する下側開口部２１ａを有する有蓋の筒状である。すなわち、ハウジング２０は、下側に開口する下側開口部２１ａを有する。ハウジング筒部２１は、上側の端部に上側ベアリング保持部２４を有する。上側ベアリング保持部２４の径方向内側には、上側ベアリング７１が保持される。
【００２５】
ハウジング筒部２１の直径は、上側ベアリング保持部２４、上側ベアリング保持部２４の下側の筒状の部位、下側開口部２１ａの順で階段状に大きくなる。すなわち、本実施形態においてハウジング筒部２１は、有蓋で、かつ、中心軸Ｊと同心の多段の円筒状である。
【００２６】
ハウジングフランジ部２２は、ハウジング筒部２１の下側の端部から、径方向外側に延びる。図１に示すように、ハウジングフランジ部２２は、ハウジングフランジ部２２を軸方向に貫通する孔部である取付孔部２５および固定孔部２６を有する。
【００２７】
取付孔部２５には、モータ１０を例えば車体等に取り付けるネジが通される。固定孔部２６には、ハウジング２０とブラケット３０とを固定するネジ７４が通される。取付孔部２５の数および固定孔部２６の数は、特に限定されない。本実施形態においてハウジングフランジ部２２は、取付孔部２５を例えば３つ有する。本実施形態においてハウジングフランジ部２２は、固定孔部２６を例えば２つ有する。
【００２８】
［ブラケット］
図２および図３に示すように、ブラケット３０は、ブラシカードアセンブリ５０の下側に位置する。ブラケット３０は、ハウジング２０と固定される。ブラケット３０は、筒状である。ブラケット３０は、金属製であって、例えばアルミニウム製である。図２に示すように、ブラケット３０は、ブラケット本体部３１と、固定壁部３２，３３，３４と、を有する。
【００２９】
図３に示すように、ブラケット本体部３１は、ブラケット底部３１ａと、ブラケット筒部３１ｂと、ブラケットフランジ部３１ｃと、下側ベアリング保持部３１ｄと、オイルシール保持部３１ｅと、補強壁３１ｈと、を有する。
【００３０】
ブラケット底部３１ａは、後述するブラシカード筒部５１の下側を覆う。ブラケット底部３１ａは、中央にブラケット底部３１ａを軸方向に貫通する出力軸孔３１ｇを有する。出力軸孔３１ｇには、シャフト４１が通される。
【００３１】
ブラケット筒部３１ｂは、ブラケット底部３１ａの径方向外縁から上側に延びる。ブラケットフランジ部３１ｃは、ブラケット筒部３１ｂの上側の端部から径方向外側に延びる。
【００３２】
下側ベアリング保持部３１ｄは、ブラケット底部３１ａから上側に延びる。下側ベアリング保持部３１ｄは、出力軸孔３１ｇよりも径方向外側に位置する。下側ベアリング保持部３１ｄは、シャフト４１を周方向に囲む筒状である。下側ベアリング保持部３１ｄの内側には、下側ベアリング７２が保持される。
【００３３】
オイルシール保持部３１ｅは、ブラケット底部３１ａから下側に延びる。オイルシール保持部３１ｅは、出力軸孔３１ｇよりも径方向外側に位置する。オイルシール保持部３１ｅは、シャフト４１を周方向に囲む筒状である。オイルシール保持部３１ｅの内側には、オイルシール７３が保持される。
【００３４】
図２に示すように、補強壁３１ｈは、下側ベアリング保持部３１ｄの外周面からブラケット筒部３１ｂの内周面の手前まで径方向外側に延びる。すなわち、補強壁３１ｈの径方向外側の端部は、ブラケット筒部３１ｂの内周面から径方向内側に離れた位置にある。図２の例では、補強壁３１ｈは、例えば、６つ設けられる。６つの補強壁３１ｈは、周方向に等間隔に配置される。補強壁３１ｈによって、下側ベアリング７２を中心にブラケット３０の全体に荷重が掛かる場合であっても、ブラケット３０が撓むことを抑制できる。
【００３５】
固定壁部３２〜３４は、ブラケット本体部３１の径方向外縁に位置する。固定壁部３２〜３４は、ブラケットフランジ部３１ｃよりも軸方向上側に延びる。図２および図４に示すように、固定壁部３２〜３４は、周方向に沿って互いに離れて設けられる。固定壁部３２と固定壁部３３とは、中心軸Ｊを基準として互いに反対側に位置する。図４に示すように、固定壁部３４は、固定壁部３２から固定壁部３３までを、中心軸Ｊを中心として反時計回り（＋θＺ向き）に周方向に辿る間に位置する。
【００３６】
固定壁部３２〜３４は、固定壁部３２〜３４を軸方向に貫通する孔部である取付孔部３６を有する。取付孔部３６は、ハウジング２０の取付孔部２５と軸方向に重なる。すなわち、モータ１０を例えば車体等に取り付けるネジは、ハウジング２０の取付孔部２５とブラケットの取付孔部３６とに通される。
【００３７】
固定壁部３２および固定壁部３３は、固定壁部３２および固定壁部３３を軸方向に貫通する孔部である固定孔部３７を有する。固定孔部３７は、例えば、内側にネジ山を有するネジ孔である。固定孔部３７は、ハウジング２０の固定孔部２６と軸方向に重なる。図１に示すネジ７４は、ハウジング２０の固定孔部２６を介して、ネジ孔である固定孔部３７に締め込まれる。これにより、ハウジング２０とブラケット３０とが固定される。
【００３８】
図５は、モータ１０の部分を示す図であって、固定壁部３２とシール部材６０とが接触する部分を示す断面図である。図５に示すように、固定壁部３２における径方向内側の面である固定壁部内側面３２ｂは、内壁面３２ｃと、傾斜面３２ｄと、を有する。内壁面３２ｃは、ブラケットフランジ部３１ｃの上面、すなわち、後述するブラケット側離間部３１ｆから上側に延びる面である。
【００３９】
傾斜面３２ｄは、内壁面３２ｃの上側の端部と固定壁部３２の上面、すなわち、後述するブラケット側接触部３２ａとに接続される。傾斜面３２ｄは、下側から上側に向かうに従って中心軸Ｊから離れる。傾斜面３２ｄは、固定壁部３２の上側の端部における径方向内縁が面取りされた面取り面である。固定壁部３３および固定壁部３４における径方向内側の面は、固定壁部３２と同様に、内壁面と、傾斜面と、を有する。
【００４０】
図１に示すように、ハウジング２０の下端面であるハウジング下端面２３とブラケット３０の上端面であるブラケット上端面３５とは、軸方向に対向する。ハウジング下端面２３およびブラケット上端面３５は、互いに接触する接触部と、互いに軸方向に離れる離間部と、を有する。
【００４１】
具体的にハウジング下端面２３は、ハウジング側接触部（接触部）２３ａと、ハウジング側離間部（離間部）２３ｂと、を有する。ハウジング側接触部２３ａは、ブラケット上端面３５と接触する接触部である。ハウジング側離間部２３ｂは、ブラケット上端面３５と軸方向に離れる離間部である。本実施形態においてハウジング下端面２３は、ハウジングフランジ部２２の下面である。
【００４２】
図２に示すように、本実施形態においてブラケット上端面３５は、固定壁部３２〜３４の上面と、ブラケットフランジ部３１ｃの上面と、を含む面である。ブラケット上端面３５は、ブラケット側接触部（接触部）３２ａ，３３ａ，３４ａと、ブラケット側離間部（離間部）３１ｆと、を有する。ブラケット側接触部３２ａ，３３ａ，３４ａは、ハウジング下端面２３と接触する接触部である。ブラケット側離間部３１ｆは、ハウジング下端面２３と軸方向に離れる離間部である。
【００４３】
ブラケット側接触部３２ａは、固定壁部３２の上面である。ブラケット側接触部３３ａは、固定壁部３３の上面である。ブラケット側接触部３４ａは、固定壁部３４の上面である。すなわち、固定壁部３２〜３４は、先端、すなわち上側の端部に接触部を有する。ブラケット側離間部３１ｆは、ブラケットフランジ部３１ｃの上面である。
【００４４】
図１および図２に示すように、モータ１０には、径方向開口部１１ａ，１１ｂ，１１ｃが設けられる。径方向開口部１１ａ〜１１ｃは、ハウジング下端面２３のハウジング側離間部２３ｂとブラケット上端面３５のブラケット側離間部３１ｆとの間に位置する。径方向開口部１１ａ〜１１ｃは、径方向に開口する。径方向開口部１１ａ〜１１ｃは、ハウジング２０とブラケット３０とが接合される領域に位置し、ハウジング２０およびブラケット３０の内部の空間と、ハウジング２０およびブラケット３０の外部の空間とを連通する。
【００４５】
図２に示すように、径方向開口部１１ａは、固定壁部３２から固定壁部３３までを、中心軸Ｊを中心として時計回り（−θＺ向き）に周方向に辿る間に位置する。径方向開口部１１ｂは、固定壁部３３から固定壁部３４までを、中心軸Ｊを中心として時計回り（−θＺ向き）に周方向に辿る間に位置する。径方向開口部１１ｃは、固定壁部３４から固定壁部３２までを、中心軸Ｊを中心として時計回り（−θＺ向き）に周方向に辿る間に位置する。
【００４６】
図１に示すように、径方向開口部１１ａは、周方向に隣り合う固定壁部、すなわち径方向開口部１１ａにおいては固定壁部３２および固定壁部３３と、ハウジング側離間部２３ｂと、ブラケット側離間部３１ｆと、によって囲まれる。径方向開口部１１ａは、ハウジング２０およびブラケット３０を径方向に貫通する。これらの構成は、径方向開口部１１ｂ，１１ｃについても同様である。
【００４７】
図４に示すように、寸法Ｌ１は、径方向開口部１１ａの周方向の寸法である。寸法Ｌ２は、径方向開口部１１ｂの周方向の寸法である。寸法Ｌ３は、径方向開口部１１ｂの周方向の寸法である。寸法Ｌ４は、ブラケット側接触部３２ａの周方向の寸法である。寸法Ｌ５は、ブラケット側接触部３３ａの周方向の寸法である。寸法Ｌ６は、ブラケット側接触部３４ａの周方向の寸法である。
【００４８】
図４の例において、寸法Ｌ１〜Ｌ３は、ブラケット側接触部３２ａ〜３４ａの径方向内縁の径方向位置における径方向開口部１１ａ〜１１ｃの周方向の寸法である。図４の例において、寸法Ｌ４〜Ｌ６は、ブラケット側接触部３２ａ〜３４ａの径方向内縁における周方向の寸法である。
【００４９】
径方向開口部１１ａ，１１ｂ，１１ｃの周方向の寸法Ｌ１，Ｌ２，Ｌ３の合計は、ブラケット側接触部３２ａ，３３ａ，３４ａの周方向の寸法Ｌ４，Ｌ５，Ｌ６の合計よりも大きい。図示は省略するが、径方向開口部１１ａ，１１ｂ，１１ｃの周方向の寸法Ｌ１，Ｌ２，Ｌ３の合計は、ハウジング側接触部２３ａの周方向の寸法の合計よりも大きい。寸法Ｌ１は、周方向の寸法Ｌ１，Ｌ２，Ｌ３のうちで最も大きい。寸法Ｌ２および寸法Ｌ３は、ほぼ同一である。
【００５０】
なお、図４の例では、ブラケット側接触部３２ａ〜３４ａの径方向内縁の径方向位置における周方向の各寸法の関係について示したが、これに限られない。ブラケット側接触部３２ａ〜３４ａと径方向開口部１１ａ〜１１ｃとが周方向に重なる領域の径方向のいずれの位置においても、径方向開口部１１ａ〜１１ｃの周方向の寸法の合計は、ブラケット側接触部３２ａ〜３４ａの周方向の寸法の合計よりも大きい。言い換えると、中心軸Ｊを中心とするいずれの同心円上においても、径方向開口部１１ａ〜１１ｃの周方向の寸法の合計は、ブラケット側接触部３２ａ〜３４ａの周方向の寸法の合計よりも大きい。
【００５１】
［ブラシカードアセンブリ］
図３に示すように、ブラシカードアセンブリ５０は、ハウジング２０の下側開口部２１ａに位置する。図２および図４に示すように、ブラシカードアセンブリ５０は、ブラシカード５０ａと、ブラシ５４と、チョークコイル５５と、接続端子５６と、スプリング５７と、を有する。
【００５２】
図６は、ブラシカードアセンブリ５０およびシール部材６０を示す側面図（ＺＸ面図）である。図２および図６に示すように、ブラシカード５０ａは、ブラシカード筒部５１と、ブラシカードフランジ部５２と、コネクタ部５３と、を有する。すなわち、ブラシカードアセンブリ５０は、ブラシカード筒部５１と、ブラシカードフランジ部５２と、コネクタ部５３と、を有する。ブラシカード５０ａは、例えば、合成樹脂製である。
【００５３】
図２および図３に示すように、ブラシカード筒部５１は、シャフト４１を周方向に囲む筒状である。本実施形態においてブラシカード筒部５１は、例えば、中心軸Ｊと同心の円筒状である。ブラシカード筒部５１は、円環部５１ａと、上側壁部５１ｂと、下側壁部５１ｃと、複数の上側突出部５１ｂ１と、複数の下側突出部５１ｃ１と、を有する。
【００５４】
円環部５１ａは、シャフト４１を囲む円環状である。円環部５１ａは、径方向に広がる板状である。円環部５１ａは、ブラシ５４、チョークコイル５５、接続端子５６、およびスプリング５７等を保持する保持部を有する。上側壁部５１ｂは、円環部５１ａの径方向外縁から上側に延びる。図３に示すように、上側壁部５１ｂは、ハウジング２０の下側開口部２１ａに嵌め合わされる。下側壁部５１ｃは、ブラシカードフランジ部５２から下側に延びる。下側壁部５１ｃは、ブラケット３０のブラケット筒部３１ｂの内側に嵌め合わされる。
【００５５】
図２に示すように、上側突出部５１ｂ１は、上側壁部５１ｂの外周面に位置する。複数の上側突出部５１ｂ１は、周方向に所定の間隔を空けて配置される。上側突出部５１ｂ１は、軸方向に延びる。上側突出部５１ｂ１は、上側壁部５１ｂが下側開口部２１ａに嵌め合わされるときに変形する。これにより、上側壁部５１ｂと下側開口部２１ａとの嵌め合い状態を良好にできる。
【００５６】
下側突出部５１ｃ１は、下側壁部５１ｃの外周面に位置する。複数の下側突出部５１ｃ１は、周方向に所定の間隔を空けて配置される。下側突出部５１ｃ１は、軸方向に延びる。下側突出部５１ｃ１は、下側壁部５１ｃがブラケット筒部３１ｂの内側に嵌め合わされるときに変形する。これにより、下側壁部５１ｃとブラケット筒部３１ｂとの嵌め合い状態を良好にできる。
【００５７】
ブラシカードフランジ部５２は、上側壁部５１ｂから径方向外側に延び、かつ一定の径方向幅で上側壁部５１ｂを周方向に囲む円環状である。すなわち、ブラシカードフランジ部５２は、ブラシカード筒部５１から径方向に延びる。ブラシカードフランジ部５２は、ハウジング筒部２１よりも径方向外側に延びる。ブラシカードフランジ部５２は、ハウジングフランジ部２２とブラケットフランジ部３１ｃとの軸方向の間に位置する。
【００５８】
図２に示すように、コネクタ部５３は、ブラシカードフランジ部５２から径方向外側に突出する。すなわち、コネクタ部５３は、ブラシカードフランジ部５２よりも径方向外側に位置する。コネクタ部５３は、コネクタ連結部５３ａと、コネクタ筒部５３ｂと、を有する。コネクタ連結部５３ａは、ブラシカードフランジ部５２とコネクタ筒部５３ｂとを連結する。図２および図３に示すように、ブラシカードフランジ部５２とコネクタ連結部５３ａとは、上面および下面とが同一平面で繋がる。図３に示すように、コネクタ連結部５３ａは、径方向開口部１１ｃに位置する。すなわち、コネクタ部５３の一部は、径方向開口部１１ｃに位置する。
【００５９】
コネクタ筒部５３ｂは、コネクタ連結部５３ａの径方向外側の端部から上側に延びる筒状である。コネクタ筒部５３ｂは、上側に開口するコネクタ開口部５３ｃを有する。コネクタ筒部５３ｂは、ハウジング２０およびブラケット３０の外部に露出する。コネクタ筒部５３ｂには、図示しない外部電源が接続される。
【００６０】
図４に示すように、ブラシ５４は、円環部５１ａの上面に設けられた箱状の収容部内に径方向に摺動自在に位置する。ブラシ５４は、スプリング５７によってブラシ５４の径方向外側の端部を径方向内側に向かって押圧される。図３に示すように、ブラシ５４の径方向内側の端部は、整流子４４と接触する。図４の例において、ブラシカードアセンブリ５０は、ブラシ５４を例えば２つ有する。
【００６１】
チョークコイル５５は、円環部５１ａの上面に位置する。チョークコイル５５の一端は、ブラシ５４と電気的に接続される。チョークコイル５５の他端は、接続端子５６と電気的に接続される。
【００６２】
接続端子５６は、ブラシカード５０ａに保持される。接続端子５６は、コネクタ開口部５３ｃの底部から上側に突出する。接続端子５６は、コネクタ部５３に接続される図示しない外部電源と電気的に接続される。これにより、外部電源から、接続端子５６、チョークコイル５５、ブラシ５４を介して、整流子４４に電流が供給される。すなわち、ブラシカードアセンブリ５０は、電機子４０に電流を供給する。電機子４０は、整流子４４から電流が供給されると励磁される。これにより、電機子４０とマグネット７０との磁気的相互作用により、電機子４０を含む回転体が回転する。
【００６３】
［シール部材］
図１および図３に示すように、シール部材６０は、ハウジング２０とブラケット３０との間に位置する。シール部材６０は、弾性体製である。本実施形態においてシール部材６０の材質は、例えば、熱硬化性エラストマー（ゴム）であってもよいし、熱可塑性エラストマーであってもよい。図２に示すように、シール部材６０は、上側シール部６１と、下側シール部６２と、を有する。本実施形態において上側シール部６１と下側シール部６２とは、例えば、別部材である。
【００６４】
図３に示すように、上側シール部６１は、ブラシカードフランジ部５２の上側に位置する。上側シール部６１は、ブラシカードフランジ部５２とハウジング２０との間をシールする。図２および図３に示すように、上側シール部６１は、シャフト４１を周方向に囲む環状である。そのため、ブラシカードフランジ部５２とハウジング２０との間を周方向の全体に亘ってシールできる。これにより、モータ１０の防水性を向上できる。
【００６５】
図２に示すように、上側シール部６１は、上側リング部６３と、側壁部（介在部）６４ａ，６４ｂと、上側介在部（介在部）６４ｆと、を有する。図２および図３に示すように、上側リング部６３は、上側壁部５１ｂを周方向に囲む円環状である。本実施形態において上側リング部６３は、例えば、上側壁部５１ｂの径方向外側に嵌め合わされる。図５に示すように、上側リング部６３は、ブラシカードフランジ部５２の上面であるブラシカードフランジ部上面５２ａとハウジング２０との間に位置する。すなわち、上側シール部６１は、ブラシカードフランジ部上面５２ａとハウジング２０との間に位置する。
【００６６】
本実施形態において上側リング部６３の軸方向の寸法は、例えば、均一である。上側リング部６３は、ブラシカードフランジ部上面５２ａおよびハウジング下端面２３と接触する。すなわち、上側リング部６３は、ブラシカードフランジ部上面５２ａと、ハウジング下端面２３とに、接触した状態で挟まれる。
【００６７】
ブラシカードフランジ部上面５２ａとハウジング下端面２３との間の軸方向寸法は、平常時（外力を受けない状態）の上側リング部６３の軸方向寸法よりも小さい。そのため、ブラシカードフランジ部上面５２ａとハウジング下端面２３と挟まれると上側リング部６３には圧縮力が加わる。これにより、上側リング部６３は、軸方向に収縮しつつ、径方向に膨張する。
【００６８】
上側リング部６３の径方向外側の端部は、固定壁部内側面３２ｂと接触する。すなわち、上側シール部６１は、固定壁部内側面３２ｂと接触する。そのため、ハウジング側接触部２３ａとブラケット側接触部３２ａとの間に水が浸入した場合であっても、上側シール部６１によって、水がブラシカードアセンブリ５０の内部に浸入することを抑制できる。特に、上側リング部６３は径方向外側に膨張するため、固定壁部内側面３２ｂに対する上側リング部６３の密着性がより増加する。これにより、高いシール性能が実現される。
【００６９】
本実施形態において上側リング部６３は、例えば、傾斜面３２ｄと接触する。すなわち、上側シール部６１は、傾斜面３２ｄと接触する。そのため、上側シール部６１の軸方向の寸法に誤差が生じた場合であっても、傾斜面３２ｄのいずれかの位置に上側シール部６１を接触させやすい。これにより、傾斜面３２ｄとハウジング下端面２３との間をより確実にシールしやすい。
【００７０】
本実施形態において上側リング部６３の径方向外側の端部は、傾斜面３２ｄを介してハウジング２０とブラケット３０とに接触した状態で挟まれる。そのため、傾斜面３２ｄの寸法に誤差が生じる場合であっても、傾斜面３２ｄのいずれかの位置に上側リング部６３を接触させやすく、上側リング部６３をハウジング２０とブラケット３０とで挟みやすい。これにより、本実施形態のように上側リング部６３の軸方向の寸法が均一である場合であっても、上側リング部６３をブラシカードフランジ部５２とハウジング２０とで挟みつつ、ハウジング２０とブラケット３０とで挟むことができる。したがって、本実施形態によれば、防水性を確保しつつ、上側シール部６１の形状を簡単にできる。
【００７１】
図２に示すように、側壁部６４ａは、上側リング部６３から下側に延びる。側壁部６４ａは、周方向に沿って延びる。図３に示すように、側壁部６４ａは、ブラシカードフランジ部５２の径方向外側の少なくとも一部を覆う。図１および図３に示すように、側壁部６４ａは、径方向開口部１１ａに位置する介在部である。すなわち、シール部材６０は、径方向開口部１１ａに位置する介在部を有する。介在部は、側壁部６４ａを含む。
【００７２】
本実施形態によれば、ハウジング２０とブラケット３０とが接触する領域の一部に代えて、ハウジング下端面２３およびブラケット上端面３５が、互いに軸方向に離れる離間部を有する。そのため、ハウジング２０とブラケット３０とが接合される部分において、ハウジング２０とブラケット３０とが接触する領域を少なくできる。そして、ハウジング側離間部２３ｂとブラケット側離間部３１ｆとの間に設けられる径方向開口部１１ａには、シール部材６０の介在部、例えば側壁部６４ａが位置する。
【００７３】
これにより、径方向開口部１１ａにおいては、ハウジング下端面２３とブラケット上端面３５とが、少なくともシール部材６０の一部を介して接触する。シール部材６０は弾性体製であるため、金属製のハウジング２０と金属製のブラケット３０とが接触する場合に比べて、シール部材６０の介在部とハウジング下端面２３との間、およびシール部材６０の介在部とブラケット上端面３５との間を、より密閉しやすい。つまり、金属面と弾性体面との接合部は、弾性体の変形により互いの密着性が良好となるため、金属面同士の接合部に比べて密閉性が優れる。したがって、径方向開口部１１ａにおいて、ハウジング下端面２３とブラケット上端面３５との間に水が浸入することを抑制できる。
【００７４】
また、径方向開口部１１ａにおいては、シール部材６０がハウジング下端面２３およびブラケット上端面３５に密着するため、ハウジング下端面２３およびブラケット上端面３５に水が付着しない。これにより、径方向開口部１１ａにおいては、ハウジング下端面２３およびブラケット上端面３５における錆などの腐食を防止できる。
【００７５】
以上により、ハウジング２０とブラケット３０との間に水が浸入して、ハウジング２０およびブラケット３０が腐食することを抑制できる。その結果、本実施形態によれば、防水性を向上できる構造を有するモータ１０が得られる。
【００７６】
また、例えば、ハウジング２０とブラケット３０との接合部を周方向の全体に亘って、円環状の弾性体を介在させる等して離間させた構成の場合、金属製のハウジング２０と金属製のブラケット３０とが接触する部分がない。弾性体はそれ自体が弾性変形するため、ハウジング２０とブラケット３０との組み付け精度が低下する虞がある。
【００７７】
これに対して、本実施形態によれば、ハウジング２０とブラケット３０とが接触する接触部が設けられるため、ハウジング２０とブラケット３０との組み付け精度が低下することを抑制できる。
【００７８】
また、本実施形態によれば、上述したように、径方向開口部１１ａ〜１１ｃの周方向の寸法Ｌ１〜Ｌ３の合計が、ブラケット側接触部３２ａ〜３４ａの周方向の寸法Ｌ４〜Ｌ６の合計よりも大きい。そのため、ハウジング２０とブラケット３０とが互いに接触する領域をより小さくできる。これにより、ハウジング２０とブラケット３０との間に水が浸入することをより抑制できる。したがって、ハウジング２０とブラケット３０との組み付け精度を確保しつつ、ブラケット側接触部３２ａ，３３ａ，３４ａおよびハウジング側接触部２３ａが腐食することをより抑制できる。その結果、モータ１０の防水性をより向上できる。
【００７９】
また、本実施形態によれば、介在部はブラシカードフランジ部５２の径方向外側の少なくとも一部を覆う側壁部６４ａを含むため、径方向開口部１１ａからブラシカードアセンブリ５０の内部に水が浸入することをより抑制できる。
【００８０】
図１に示すように、側壁部６４ａの径方向外側の面は、モータ１０の外部に露出する。側壁部６４ａの上面である側壁部上面６４ｃは、ハウジング側離間部２３ｂと接触する。すなわち、介在部の上面は、ハウジング下端面２３と接触する。側壁部６４ａの下面である側壁部下面６４ｄは、ブラケット側離間部３１ｆと接触する。すなわち、介在部の下面は、ブラケット上端面３５と接触する。
【００８１】
そのため、ハウジング下端面２３と側壁部６４ａとの間の密閉性、およびブラケット上端面３５と側壁部６４ａとの間の密閉性を向上できる。その結果、モータ１０の防水性をより向上できる。
【００８２】
本実施形態において平常時（外力を受けない状態）における側壁部６４ａの軸方向寸法は、ハウジング下端面２３のハウジング側離間部２３ｂとブラケット上端面３５のブラケット側離間部３１ｆとの間の軸方向寸法よりも大きい。そのため、ハウジング２０とブラケット３０とが固定されると、径方向開口部１１ａに位置する側壁部６４ａに、軸方向の圧縮力が加わる。これにより、側壁部６４ａは軸方向に収縮し、ハウジング下端面２３と側壁部６４ａとの間の密着性、およびブラケット上端面３５と側壁部６４ａとの間の密着性を向上できる。したがって、モータ１０の防水性をより向上できる。
【００８３】
また、上側リング部６３には、ブラシカードフランジ部５２とハウジング下端面２３とに挟まれることによって圧縮力が作用するが、その圧縮力は取付孔部２５および固定孔部３７に所定のネジが取り付けられたときの締付力に関係する。つまり、取付孔部２５および固定孔部３７から離れるとそれだけ上側リング部６３に加えられる圧縮力が弱まり、上側リング部６３の密着性は低下する虞があるが、側壁部６４ａがあるため、上側リング部６３の密着性が低下して隙間ができたとしても水の浸入は阻止される。側壁部６４ａの効果は、側壁部６４ｂにおいても同様であるが、周方向の寸法が大きい側壁部６４ａにおいて、より顕著である。
【００８４】
図７は、モータ１０の部分を示す図であって、側壁部６４ａと固定壁部３２とが接触する箇所を示す平面図である。図７においては、ハウジング２０の図示を省略している。図７に示すように、側壁部６４ａの周方向の側面は、固定壁部３２の周方向の側面である固定壁部側面３２ｅと接触する。すなわち、介在部は、固定壁部側面３２ｅと接触する。そのため、径方向開口部１１ａにおける側壁部６４ａと固定壁部３２との周方向の間から水が浸入することを抑制できる。
【００８５】
また、平常時（外力を受けない状態）の側壁部６４ａの周方向寸法は、例えば、径方向開口部１１ａの周方向の寸法Ｌ１よりも大きい。そのため、側壁部６４ａが径方向開口部１１ａに位置すると、側壁部６４ａには周方向の圧縮力が加わる。これにより、側壁部６４ａが周方向に収縮し、側壁部６４ａと固定壁部側面３２ｅとの密着性が良好となる。したがって、径方向開口部１１ａにおける側壁部６４ａと固定壁部３２との周方向の間から水が浸入することをより抑制できる。
【００８６】
本実施形態において側壁部６４ａの周方向の側面は、リブ６４ｅを有する。リブ６４ｅは、固定壁部３２側に突出する。図７の例では、側壁部６４ａの周方向の側面は、例えば、リブ６４ｅを２つ有する。リブ６４ｅの先端は、固定壁部側面３２ｅと接触する。そのため、側壁部６４ａの周方向の側面と固定壁部側面３２ｅとの間に生じる圧力を大きくできる。これにより、側壁部６４ａと固定壁部３２との間の密閉性をより向上できる。
【００８７】
側壁部６４ｂは、径方向開口部１１ｂに位置する介在部である。側壁部６４ｂの周方向の寸法は、例えば、側壁部６４ａの周方向の寸法よりも小さい。側壁部６４ｂのその他の構成は、側壁部６４ａの構成と同様である。
【００８８】
図２に示すように、上側介在部６４ｆは、上側リング部６３から径方向外側に延びる。図３に示すように、上側介在部６４ｆは、径方向開口部１１ｃに位置する介在部である。すなわち、本実施形態において介在部は、上側介在部６４ｆを含む。上側介在部６４ｆの上面は、ハウジング側離間部２３ｂと接触する。上側介在部６４ｆの下面は、コネクタ連結部５３ａの上面と接触する。
【００８９】
下側シール部６２は、ブラシカードフランジ部５２とブラケットフランジ部３１ｃとの間に位置する。下側シール部６２は、ブラシカードフランジ部５２とブラケット３０との間をシールする。下側シール部６２は、シャフト４１を周方向に囲む円環状である。そのため、ブラシカードフランジ部５２とブラケット３０との間を周方向の全体に亘ってシールできる。これにより、モータ１０の防水性を向上できる。
【００９０】
下側シール部６２も、上側シール部６１と同様に、軸方向に収縮し、かつ径方向に膨張して位置するため、ブラシカードフランジ部５２の下面、ブラケットフランジ部３１ｃの上面、および内壁面３２ｃとの密着性が良好となる。
【００９１】
図２に示すように、下側シール部６２は、下側リング部６５と、下側介在部（介在部）６６ｃと、介在突出部（介在部）６６ａ，６６ｂと、を有する。すなわち、本実施形態において介在突出部６６ａ，６６ｂは、下側シール部６２に設けられる。
【００９２】
図２および図３に示すように、下側リング部６５は、下側壁部５１ｃを周方向に囲む円環状である。本実施形態において下側リング部６５は、例えば、下側壁部５１ｃの径方向外側に嵌め合わされる。図５に示すように、下側リング部６５は、ブラシカードフランジ部５２の下面であるブラシカードフランジ部下面５２ｂとブラケット３０との間に位置する。すなわち、下側シール部６２は、ブラシカードフランジ部下面５２ｂとブラケット３０との間に位置する。
【００９３】
図３に示すように、下側リング部６５は、側壁部６４ａの径方向内側に位置する。図示は省略するが、下側リング部６５は、側壁部６４ｂの径方向内側に位置する。下側リング部６５における径方向外側の端部のうち側壁部６４ａと対向する部分は、側壁部６４ａの径方向内側の面と接触する。すなわち、上側シール部６１と下側シール部６２とは、側壁部６４ａを介して接触する。
【００９４】
そのため、上側シール部６１と下側シール部６２とが接触する境界から水が浸入することを抑制できる。また、下側シール部６２が側壁部６４ａの径方向内側に位置するため、上側シール部６１と下側シール部６２とが接触する境界が、シール部材６０の径方向外側の面に位置しない。これにより、上側シール部６１と下側シール部６２とが接触する境界から水が浸入することをより抑制できる。
【００９５】
図５に示すように、下側リング部６５における径方向外側の端部のうち固定壁部３２と対向する部分は、固定壁部内側面３２ｂと接触する。本実施形態において下側リング部６５は、内壁面３２ｃと接触する。図示は省略するが、下側リング部６５における径方向外側の端部のうち固定壁部３３，３４と対向する部分は、固定壁部３３，３４の径方向内側の面と接触する。
【００９６】
下側リング部６５は、ブラシカードフランジ部下面５２ｂおよびブラケット上端面３５と接触する。図６に示すように、下側リング部６５の下面は、側壁部下面６４ｄと同一平面上に位置する。図２および図３に示すように、本実施形態において下側リング部６５の軸方向の寸法は、例えば、均一である。
【００９７】
図２に示すように、下側介在部６６ｃは、下側リング部６５から径方向外側に延びる。図３に示すように、下側介在部６６ｃは、径方向開口部１１ｃに位置する介在部である。下側介在部６６ｃの上面は、コネクタ連結部５３ａの下面と接触する。下側介在部６６ｃの下面は、ブラケット側離間部３１ｆと接触する。
【００９８】
図２に示すように、介在突出部６６ａ，６６ｂは、軸方向に突出する。より詳細には、本実施形態において介在突出部６６ａ，６６ｂは、下側介在部６６ｃから上側に突出する。介在突出部６６ａ，６６ｂは、径方向開口部１１ｃに位置する介在部である。すなわち、介在部は、介在突出部６６ａ，６６ｂを含む。
【００９９】
図４に示すように、介在突出部６６ａは、コネクタ部５３と固定壁部３２との周方向の間、かつハウジングフランジ部２２とブラケットフランジ部３１ｃとの軸方向の間に位置する。介在突出部６６ｂは、コネクタ部５３と固定壁部３４との周方向の間、かつハウジングフランジ部２２とブラケットフランジ部３１ｃとの軸方向の間に位置する。そのため、径方向開口部１１ｃにおけるコネクタ部５３と固定壁部３２，３４との周方向の間から水が浸入することを抑制できる。
【０１００】
介在突出部６６ａは、固定壁部３２とコネクタ連結部５３ａとに接触する。平常時（外力を受けない状態）の介在突出部６６ａの周方向寸法は、例えば、コネクタ連結部５３ａと固定壁部３２との周方向の間の寸法よりも大きい。そのため、介在突出部６６ａが径方向開口部１１ｃに位置すると、介在突出部６６ａに周方向の圧縮力が加わる。これにより、介在突出部６６ａが周方向に収縮し、介在突出部６６ａとコネクタ連結部５３ａとの密着性、および介在突出部６６ａと固定壁部３２との密着性が良好となる。したがって、径方向開口部１１ｃにおけるコネクタ部５３と固定壁部３２との周方向の間から水が浸入することをより抑制できる。介在突出部６６ｂについても同様である。介在突出部６６ｂは、固定壁部３４とコネクタ連結部５３ａとに接触する。
【０１０１】
本実施形態において介在突出部６６ａ，６６ｂは、周方向両側の側面にリブ６６ｄを有する。介在突出部６６ａのリブ６６ｄの一方は、固定壁部３２に接触する。介在突出部６６ａのリブ６６ｄの一方は、コネクタ連結部５３ａに接触する。リブ６６ｄは、径方向開口部１１ｃに位置することで介在突出部６６ａに加えられる圧縮力によって変形する。これにより、介在突出部６６ａとコネクタ連結部５３ａとの密着性、および介在突出部６６ａと固定壁部３２との密着性をより向上できる。したがって、径方向開口部１１ｃにおけるコネクタ部５３と固定壁部３２との周方向の間から水が浸入することをより抑制できる。介在突出部６６ｂについても同様である。
【０１０２】
なお、図４においては、リブ６６ｄが変形する前の状態、すなわちリブ６６ｄに外力が加えられない状態を点線で示している。
【０１０３】
図６に示すように、介在突出部６６ａの上側の端部は、上側介在部６４ｆと接触する。平常時（外力を受けない状態）の介在突出部６６ａの軸方向寸法と、平常時の上側介在部６４ｆの軸方向寸法を足し合わせた寸法は、例えば、ハウジングフランジ部２２とブラケットフランジ部３１ｃとの軸方向の間の寸法よりも大きい。そのため、ハウジング２０とブラケット３０とが固定されることで、介在突出部６６ａおよび上側介在部６４ｆに軸方向の圧縮力が加わる。これにより、介在突出部６６ａおよび上側介在部６４ｆが軸方向に収縮し、介在突出部６６ａとブラケットフランジ部３１ｃとの密着性、および上側介在部６４ｆとハウジングフランジ部２２との密着性が良好となる。したがって、径方向開口部１１ｃにおけるコネクタ部５３と固定壁部３２，３４との周方向の間から水が浸入することをより抑制できる。介在突出部６６ｂについても同様である。
【０１０４】
なお、本実施形態においては、以下の構成を採用することもできる。以下の説明において上記説明と同様の構成については、適宜同一の符号を付す等により説明を省略する場合がある。
【０１０５】
本実施形態においては、ハウジング２０とブラケット３０とのうちの少なくとも一方が、軸方向に延び先端に接触部を有する固定壁部３２〜３４を有する構成を採用できる。すなわち、本実施形態においては、ハウジング２０のみが固定壁部３２〜３４を有してもよいし、ハウジング２０とブラケット３０との両方が固定壁部３２〜３４を有してもよい。
【０１０６】
ハウジング２０とブラケット３０との両方が固定壁部３２〜３４を有する場合には、例えば、ハウジング２０の固定壁部３２〜３４の先端とブラケット３０の固定壁部３２〜３４の先端とが接触する。この場合、ハウジング２０の固定壁部３２〜３４とブラケット３０の固定壁部３２〜３４とが接触する境界は、軸方向において、上側シール部６１と下側シール部６２との間に位置してもよい。また、上側シール部６１がハウジング２０の固定壁部３２〜３４の径方向内側の面と接触してもよいし、下側シール部６２がブラケット３０の固定壁部３２〜３４の径方向内側の面と接触してもよい。
【０１０７】
また、本実施形態においては、上側シール部６１と下側シール部６２とのうちの、ブラシカードフランジ部５２に対してハウジング２０とブラケット３０とのうちの他方側、すなわち固定壁部３２〜３４が設けられる側と反対側に位置するシール部材は、固定壁部３２〜３４における径方向内側の面である固定壁部内側面３２ｂと接触する構成を採用できる。すなわち、本実施形態においては、固定壁部３２〜３４がハウジング２０に設けられ、下側シール部６２が固定壁部内側面３２ｂと接触してもよい。
【０１０８】
また、本実施形態において固定壁部３２〜３４の数は特に限定されず、２つ以下であってもよいし、４つ以上であってもよい。
【０１０９】
また、本実施形態においては、側壁部６４ａ，６４ｂが、上側シール部６１と下側シール部６２とのうちの一方に設けられ、上側シール部６１と下側シール部６２とのうちの他方における径方向外側の端部が、側壁部６４ａ，６４ｂの径方向内側の面と接触する構成を採用できる。すなわち、本実施形態においては、図８（Ａ）に示す構成を採用してもよい。
【０１１０】
図８（Ａ）は、本実施形態の他の一例であるモータ１１０の部分を示す断面図である。図８（Ａ）に示すように、モータ１１０は、シール部材１６０を備える。シール部材１６０は、上側シール部１６１と、下側シール部１６２と、を有する。
【０１１１】
下側シール部１６２は、下側リング部６５と、側壁部（介在部）１６４と、を有する。側壁部１６４は、下側リング部６５の径方向外縁から上側に延びる。図示は省略するが、側壁部１６４は、図２の例と同様に、例えば、２つ設けられる。２つの側壁部１６４は、それぞれ径方向開口部１１ａ，１１ｂに位置する介在部である。側壁部１６４のその他の構成は、図２等に示す側壁部６４ａ，６４ｂの構成と同様である。下側シール部１６２のその他の構成は、図２等に示す下側シール部６２と同様である。
【０１１２】
上側シール部１６１は、上側リング部６３を有する。上側シール部１６１は、図２等に示す上側シール部１６１と異なり側壁部６４ａ，６４ｂを有しない。上側リング部６３は、側壁部１６４の径方向内側に位置する。上側リング部６３の径方向外側の端部は、側壁部１６４の径方向内側の面と接触する。上側シール部１６１のその他の構成は、図２等に示す上側シール部６１と同様である。
【０１１３】
また、本実施形態においては、図８（Ｂ）に示す構成のように、側壁部６４ａ，６４ｂが上側シール部６１と下側シール部６２との両方に設けられてもよい。図８（Ｂ）は、本実施形態の他の一例であるモータ２１０の部分を示す断面図である。
【０１１４】
図８（Ｂ）に示すように、モータ２１０は、シール部材２６０を備える。シール部材２６０は、上側シール部２６１と、下側シール部２６２と、を有する。上側シール部２６１は、上側リング部６３と、側壁部（介在部）２６４ａと、を有する。下側シール部２６２は、下側リング部６５と、側壁部２６４ｂと、を有する。
【０１１５】
上側シール部２６１の側壁部２６４ａの径方向内側の面は、下側シール部２６２の側壁部２６４ｂの径方向外側の面と接触する。側壁部２６４ａのその他の構成は、図２等に示す側壁部６４ａ，６４ｂの構成と同様である。
【０１１６】
下側シール部２６２の側壁部２６４ｂの上側の端部は、上側シール部２６１と接触する。側壁部２６４ｂは、上側シール部２６１の側壁部２６４ａの径方向内側に位置する。すなわち、下側シール部２６２は、上側シール部２６１の側壁部２６４ａの径方向内側に位置する。下側シール部２６２の径方向外側の端部は、上側シール部２６１の側壁部２６４ｂの径方向内側の面と接触する。
【０１１７】
このように、この構成においては、上側シール部２６１の側壁部２６４ａと下側シール部２６２の側壁部２６４ｂとが径方向に重なって設けられる。図示は省略するが、側壁部２６４ａと側壁部２６４ｂとは、図２の例と同様に、例えば、それぞれ２つずつ設けられる。２つの側壁部２６４ａおよび２つの側壁部２６４ｂは、それぞれ径方向開口部１１ａ，１１ｂに位置する介在部である。
【０１１８】
この構成によれば、下側に延びる側壁部２６４ａと上側に延びる側壁部２６４ｂとによってブラシカードフランジ部５２の径方向外側の面を覆うことができるため、ブラシカードアセンブリ５０に水が浸入することをより抑制できる。
【０１１９】
また、この構成によれば、上側シール部２６１と下側シール部２６２とが接触する境界における、シール部材２６０の表面からブラシカードアセンブリ５０までを辿る距離を大きくできる。そのため、上側シール部２６１と下側シール部２６２とが接触する境界に、シール部材２６０の表面から水が入り込んだ場合であっても、水がブラシカードアセンブリ５０に到達することを抑制できる。これにより、ブラシカードアセンブリ５０に水が浸入することをより抑制できる。
【０１２０】
また、この構成によれば、上側シール部２６１と下側シール部２６２とが接触する面積を大きくできるため、上側シール部２６１と下側シール部２６２とを安定して接触させることができる。
【０１２１】
なお、この構成においては、側壁部２６４ａと側壁部２６４ｂとが径方向に重ならず、軸方向に重なる構成としてもよい。この場合、例えば、側壁部２６４ａの下側の端部と側壁部２６４ｂの上側の端部とは接触する。
【０１２２】
また、本実施形態においては、図８（Ｃ）に示す構成のように、シール部材６０が単一の部材であってもよい。図８（Ｃ）は、本実施形態の他の一例であるモータ３１０の部分を示す断面図である。
【０１２３】
図８（Ｃ）に示すように、モータ３１０は、シール部材３６０を備える。シール部材３６０は、単一の部材である。シール部材３６０は、上側シール部３６１と、下側シール部３６２と、側壁部（介在部）３６４と、を有する。
【０１２４】
上側シール部３６１は、上側リング部６３を有する。下側シール部３６２は、下側リング部６５を有する。側壁部３６４は、上側シール部３６１と下側シール部３６２とを連結する。すなわち、上側シール部３６１と下側シール部３６２とは、側壁部３６４を介して連結される。
【０１２５】
この構成によれば、シール部材３６０が単一の部材であるため、シール部材３６０を管理しやすい。また、モータ１０の部品点数を低減できるため、組み立て工数および製造コストを低減できる。また、シール部材３６０がブラシカードフランジ部５２を取り囲んで装着されるため、例えば、ブラシカード５０ａにシール部材３６０を取り付けてからブラシカードアセンブリ５０をブラケット３０に配置する組立方法を採用する場合、ブラシカードアセンブリ５０を配置するまでの間にシール部材３６０が外れることがない。そのため、本実施形態によれば、モータ３１０の組み立てを容易にできる。
【０１２６】
また、上側シール部３６１と下側シール部３６２とが接触する境界がないため、上側シール部３６１と下側シール部３６２とが接触する境界から水が浸入することがない。そのため、モータ１０の防水性をより向上できる。
【０１２７】
なお、シール部材３６０の構成は、単一の部材である点を除いて、図２等に示すシール部材６０と同様の構成である。
【０１２８】
また、本実施形態においては、図９に示すような構成を採用してもよい。図９は、本実施形態の他の一例であるモータ４１０の部分を示す図である。図９に示すように、モータ４１０は、ハウジング２０と、ブラケット４３０と、シール部材４６０と、を備える。
【０１２９】
ブラケット４３０は、固定壁部４３２を有する。固定壁部４３２の周方向の側面である固定壁部側面４３２ｅは、軸方向に対して傾斜する。図９の例では、固定壁部側面４３２ｅは、下側から上側に向かうに従って、シール部材４６０と逆側に位置する斜面である。ブラケット４３０のその他の構成は、図２等に示す固定壁部３２の構成と同様である。
【０１３０】
シール部材４６０は、介在部である側壁部（介在部）４６４を有する。側壁部４６４の周方向の側面は、リブ４６４ｅを有する。リブ４６４ｅは、軸方向に対して傾斜する。図９の例では、リブ４６４ｅは、下側から上側に向かうに従って、固定壁部４３２側に位置する。リブ４６４ｅの固定壁部４３２側の端部は、固定壁部側面４３２ｅと接触する。すなわち、この構成において、介在部である側壁部４６４における固定壁部側面４３２ｅと接触する部分は、軸方向に対して傾斜する。
【０１３１】
この構成によれば、ハウジング２０とブラケット３０とによって側壁部４６４に軸方向の圧縮力が加えられる場合に、圧縮力の一部が側壁部４６４を固定壁部４３２に押し付ける力となる。これにより、側壁部４６４と固定壁部４３２との間をより密閉することができる。したがって、この構成によれば、側壁部４６４と固定壁部４３２との密着性が良好となり、側壁部４６４と固定壁部４３２と間から水が浸入することをより抑制できる。
【０１３２】
また、本実施形態においては、側壁部６４ａ，６４ｂの周方向の側面は、リブ６４ｅを有しなくてもよい。
【０１３３】
また、本実施形態においては、介在突出部６６ａ，６６ｂが、上側シール部６１と下側シール部６２とのうちの少なくとも一方に設けられる構成を採用できる。すなわち、本実施形態において介在突出部６６ａ，６６ｂは、上側シール部６１に設けられてもよいし、上側シール部６１と下側シール部６２との両方に設けられてもよい。介在突出部６６ａ，６６ｂが上側シール部６１に設けられる場合、介在突出部６６ａ，６６ｂは、例えば、上側介在部６４ｆから下側に延びる。
【０１３４】
また、本実施形態において介在突出部６６ａ，６６ｂの上側の端部は、上側シール部６１と接触しなくてもよい。また、介在突出部６６ａ，６６ｂの数は、特に限定されず、１つであってもよいし、３つ以上であってもよい。
【０１３５】
また、本実施形態においては、上側シール部６１の材質と下側シール部６２の材質とが、互いに異なってもよい。
【０１３６】
また、本実施形態においては、コネクタ部５３の少なくとも一部が、径方向開口部１１ｃに位置する構成を採用できる。すなわち、本実施形態においてコネクタ部５３の全体は、径方向開口部１１ｃに位置してもよい。また、本実施形態においてコネクタ部５３は、ブラシカード筒部５１から径方向外側に突出してもよい。
【０１３７】
また、本実施形態においては、ハウジング２０がハウジングフランジ部２２を有しなくてもよい。また、本実施形態においては、ブラケット３０がブラケットフランジ部３１ｃを有しなくてもよい。
【０１３８】
なお、本明細書において、介在部が径方向開口部に位置する、とは、径方向開口部の少なくとも一部分に介在部が位置することを含む。
【０１３９】
＜第２実施形態＞
第２実施形態は、第１実施形態に対して、上側シール部５６１と下側シール部５６２とがヒンジ部５６７で連結される点において異なる。なお、第１実施形態と同様の構成については、適宜同一の符号を付す等により説明を省略する場合がある。
【０１４０】
図１０は、本実施形態のモータ５１０の部分を示す斜視図である。図１０に示すように、モータ５１０は、ブラシカードアセンブリ５５０と、シール部材５６０と、を備える。ブラシカードアセンブリ５５０は、ブラシカード５５０ａを有する。ブラシカード５５０ａは、ブラシカード筒部５１と、ブラシカードフランジ部５２と、ブラシカード突出部５５４ａ，５５４ｂと、を有する。すなわち、ブラシカードアセンブリ５５０は、ブラシカード突出部５５４ａ，５５４ｂを有する。
【０１４１】
ブラシカード突出部５５４ａ，５５４ｂは、ブラシカードフランジ部５２から径方向外側に突出する。ブラシカード突出部５５４ａとブラシカード突出部５５４ｂとは、周方向において異なる位置にある。ブラシカード突出部５５４ａ，５５４ｂの形状は、特に限定されず、例えば、四角柱状である。
【０１４２】
シール部材５６０は、上側シール部５６１と、下側シール部５６２と、ヒンジ部５６７と、を有する。シール部材５６０は、単一の部材である。ヒンジ部５６７は、上側シール部５６１と下側シール部５６２とを連結する。
【０１４３】
そのため、シール部材５６０は単一の部材でありつつ、上側シール部５６１と下側シール部５６２との相対位置を、ヒンジ部５６７を折り曲げまたは開くことによって、変化させることができる。これにより、シール部材５６０の管理を容易にしつつ、上側シール部５６１と下側シール部５６２とを別々に組みつけることができる。したがって、モータ５１０の組み立て性が低下することを抑制できる。
【０１４４】
また、本実施形態によれば、例えば、上側シール部５６１と下側シール部５６２との相対位置が固定された状態でシール部材５６０を単一の部材として成形する場合に比べて、シール部材５６０の成形が容易である。
【０１４５】
上側シール部５６１は、上側リング部６３と、上側シール取付部５６８ａと、を有する。上側シール取付部５６８ａは、上側リング部６３の径方向外側の面から下側に延びる。上側シール取付部５６８ａは、環状である。本実施形態において上側シール取付部５６８ａは、例えば、矩形環状である。上側シール取付部５６８ａは、ブラシカード突出部５５４ａに引っ掛けられる。
【０１４６】
そのため、ブラシカード５５０ａに対して、シール部材５６０を安定して取り付けることができる。また、例えば、ブラシカード５５０ａにシール部材５６０を取り付けてからブラシカードアセンブリ５５０をブラケット３０に配置する組立方法を採用する場合、ブラシカードアセンブリ５５０を配置するまでの間にシール部材５６０が外れることを抑制できる。そのため、本実施形態によれば、モータ５１０の組み立てを容易にできる。
【０１４７】
下側シール部５６２は、下側リング部６５と、下側シール取付部５６８ｂと、を有する。下側シール取付部５６８ｂは、下側リング部６５の径方向外側の面から上側に延びる。下側シール取付部５６８ｂは、環状である。本実施形態において下側シール取付部５６８ｂは、例えば、矩形環状である。下側シール取付部５６８ｂは、ブラシカード突出部５５４ｂに引っ掛けられる。
【０１４８】
すなわち、本実施形態においては、上側シール部５６１と下側シール部５６２との両方が、ブラシカード突出部５５４ａ，５５４ｂに引っ掛けられる。そのため、ブラシカード５５０ａに対して、シール部材５６０をより安定して取り付けることができる。
【０１４９】
なお、本実施形態においては、以下の構成を採用することもできる。
【０１５０】
本実施形態においては、上側シール部５６１と下側シール部５６２とのうちの少なくとも一方が、ブラシカード突出部５５４ａ，５５４ｂに引っ掛けられる構成を採用できる。すなわち、本実施形態においては、上側シール部５６１と下側シール部５６２とのうちのいずれか一方のみが、ブラシカード突出部５５４ａ，５５４ｂに引っ掛けられる構成であってもよい。この場合、ブラシカード５５０ａは、ブラシカード突出部５５４ａ，５５４ｂのいずれか一方のみを有する。また、上側シール部５６１と下側シール部５６２とのうちの引っ掛けられる側のシール部のみが、上側シール取付部５６８ａあるいは下側シール取付部５６８ｂを有する。
【０１５１】
また、本実施形態においては、シール部材５６０は、単一の部材でなくてもよい。この場合、ヒンジ部５６７の材質は、例えば、上側シール部５６１の材質および下側シール部５６２の材質と異なってもよい。
【０１５２】
なお、上記説明した第１実施形態および第２実施形態の各構成は、相互に矛盾しない範囲内において、適宜組み合わせることができる。
【符号の説明】
【０１５３】
１０，１１０，２１０，３１０，４１０，５１０…モータ、１１ａ，１１ｂ，１１ｃ…径方向開口部、２０…ハウジング、２１ａ…下側開口部、２３…ハウジング下端面、２３ａ…ハウジング側接触部（接触部）、２３ｂ…ハウジング側離間部（離間部）、３０，４３０…ブラケット、３１ｆ…ブラケット側離間部（離間部）、３２，３３，３４，４３２…固定壁部、３２ａ，３３ａ，３４ａ…ブラケット側接触部（接触部）、３２ｂ…固定壁部内側面、３２ｄ…傾斜面、３２ｅ，４３２ｅ…固定壁部側面、３５…ブラケット上端面、４０…電機子、４１…シャフト、５０，５５０…ブラシカードアセンブリ、５１…ブラシカード筒部、５２…ブラシカードフランジ部、５３…コネクタ部、６０，１６０，２６０，３６０，４６０，５６０…シール部材、６１，１６１，２６１，３６１，５６１…上側シール部、６２，１６２，２６２，３６２，５６２…下側シール部、６４ａ，６４ｂ，１６４，２６４ａ，２６４ｂ，３６４，４６４…側壁部（介在部）、６４ｆ…上側介在部（介在部）、６６ａ，６６ｂ…介在突出部（介在部）、６６ｃ…下側介在部（介在部）、５５４ａ，５５４ｂ…ブラシカード突出部、５６７…ヒンジ部、Ｊ…中心軸
【図１】
0006604016.tif 000002
【図２】
0006604016.tif 000003
【図３】
0006604016.tif 000004
【図４】
0006604016.tif 000005
【図５】
0006604016.tif 000006
【図６】
0006604016.tif 000007
【図７】
0006604016.tif 000008
【図８】
0006604016.tif 000009
【図９】
0006604016.tif 000010
【図１０】
0006604016.tif 000011